(57)【要約】      （修正有）【課題】多種の電子カードを収納でき、占められる空間を減少できるカード用コネクタを提供する。【解決手段】エクスプレスカードとスマートカードのような異なる電子カードは、絶縁本体１とハウジングから形成される挿入槽に挿入され、第１，第２導入面１３１０によって、第１，第２収納槽１１１，１１２に収納される。これにより、エクスプレスカードとスマートカードのような多種の電子カードを挿入しても、同じ挿入槽から対応する収納槽１１１，１１２に挿入でき、異なる収納槽から対応する収納槽に挿入する必要がない。カード用コネクタは、高さを低くすることによって占められる空間を減少できる簡単な構造になる。エクスプレスカードとスマートカードは、第１，第２導入面１３１０によって、対応する収納槽１１１，１１２に導入され、対応しない収納槽に挿入されることを回避できる。【選択図】図２
0003120995.tif 000002
【実用新案登録請求の範囲】
【請求項１】
多種の電子カードを挿入することを用いるカード用コネクタであって、
主体部と、該主体部の両側から延在する一対の側壁と、主体部の前辺から前方に延在する導入部と、導入部と隣接する複数の第１端子槽と、を有する絶縁本体と、
該第１端子槽に挿入され、第１電子カードを電気接続する複数の第１導電端子と、
絶縁本体に固着され、複数の第２端子槽が形成される端子モジュールと、
該第２端子槽に挿入され、第１電子カードと異なる第２電子カードを電気接続する複数の第２導電端子と、
絶縁本体に取り付けられるハウジングと、を備え、
前記導入部は、
第１階段部と、
第２階段部と、
該第１階段部と第２階段部を連接し、第２電子カードを導入する第１導入面と、
内側に形成され、第１電子カードを導入する第２導入面と、
を有することを特徴とするカード用コネクタ。
【請求項２】
前記ハウジングは、
頂面と、
底面と、
頂面と底面から形成される挿入槽と、を備え、
該挿入槽は、導入部と側壁と頂面と底面とから形成され、
第１電子カードを収納する第１収納槽と、一対の側壁と導入部の第１階段部と頂面と、から形成され、第１収納槽と部分に重なり、第２電子カードを収納する第２収納槽と、を具備することを特徴とする、請求項１に記載のカード用コネクタ。
【請求項３】
前記絶縁本体は、凹槽が上表面に形成され、
前記端子モジュールは、凹槽に嵌め込まれる基部と、延在部と、を含むことを特徴とする、請求項２に記載のカード用コネクタ。
【請求項４】
前記絶縁本体は、前記導入部と隣接する舌片が、設けられ、前記複数の第１端子槽が、該舌片に形成されることを特徴とする、請求項３に記載のカード用コネクタ。
【請求項５】
前記第１導電端子には、第１電子カードを接触する接触部が設けられ、
前記第２導電端子には、第２電子カードを接触する接触部が設けられ、
第１電子カードは、エクスプレスカードであり、
第２電子カードは、スマートカードであることを特徴とする、請求項４に記載のカード用コネクタ。
【請求項６】
前記導入部の第２階段部は、第１階段部から前方に延在し、且つ第１階段部より低くなっており、
第２階段部は三角形状をしており、第１階段部は矩形形状をしており、該第２階段部の前端には傾斜面が設けられることを特徴とする、請求項１に記載のカード用コネクタ。
【請求項７】
前記第１導入面では底辺が第２階段部向きに傾斜し、
前記第２階段部の前端では底辺が前向きに傾斜することを特徴とする、請求項６に記載のカード用コネクタ。
【請求項８】
前記カード用コネクタは、前記第１、第２電子カードを排出するイジェクト機構を有することを特徴とする、請求項１に記載のカード用コネクタ。
【請求項９】
前記絶縁本体には、係合部が設けられ、
前記ハウジングには、係合部に係合スる係合孔が形成されることを特徴とする、請求項１に記載のカード用コネクタ。
【考案の詳細な説明】
【技術分野】
【０００１】
本考案はカード用コネクタに関し、多種の電子カードを収容するカード用コネクタに関する。
【背景技術】
【０００２】
電子技術の発展に従って、異なる種類の電子カードを対応する小型化のカード用コネクタガ製作されてきた。占められる空間を減少させるために、同じ電子装備に、積み重ねられた複数のカード用コネクタが設置される。
【０００３】
一種のカード用コネクタは、上下に互いに積み重ねられた電子カードコネクタと知能カードコネクタと、端子モジュールと、転換回路基板と、を有する。電子カードコネクタは、第１絶縁本体と、該第１絶縁本体に収納される第１信号端子と、を具備する。第１コネクタの下方に位置する第２コネクタは、第２絶縁本体を含む。端子モジュールは、第３絶縁本体と、該第３絶縁本体に収納され、知能信号を転換する第３信号端子と、を具備する。転換回路基板は、第１、第３信号端子を収納する半田孔が形成される。一体になるカード用コネクタは、転換回路基板によって、信号転換することを実現できる。こうしたカードコネクタの構造は従来技術文献に記載されている（例えば、特許文献１参照）。
【特許文献１】中国特許第２，５２０，０１１号明細書
【０００４】
ところで、同じカード用コネクタに、上下に互いに積み重ねられた電子カードコネクタと知能カードコネクタを設置することは、異なる二つの電子カードコネクタを設置することより、占められる空間を減少させない。
【０００５】
従って、本考案は前記の欠点を克服するために一種の新たなカード用コネクタを構成する。
【考案の開示】
【考案が解決しようとする課題】
【０００６】
本考案の目的は、こうした従来の問題点を解決したカード用コネクタを提供することである。すなわち、従来の技術とは異なり、多種の電子カードを収納でき、占められる空間を減少できるカード用コネクタが得られるようにすることである。
【課題を解決するための手段】
【０００７】
本考案は、多種の電子カードを挿入することができるカード用コネクタに関し、該カード用コネクタは、複数の第１端子槽が形成される絶縁本体と、該第１端子槽に挿入され、エクスプレスカードを電気接続する複数の第１導電端子と、絶縁本体に固着され、複数の第２端子槽が形成される端子モジュールと、該第２端子槽に挿入され、スマートカードを電気接続する複数の第２導電端子と、絶縁本体に取り付けられるハウジングと、を備える。前記絶縁本体は、主体部と、該主体部の両側から延在する一対の側壁と、主体部の前辺から前方に延在する導入部と、導入部と隣接する複数の第１端子槽と、を有する。前記導入部は、第１階段部と、第２階段部と、該第１階段部と第２階段部を連接し、スマートカードを導入する第１導入面と、内側に形成され、エクスプレスカードを導入する第２導入面と、を有する。
【考案の効果】
【０００８】
従来の技術に比べると、本考案は以下の長所がある。本考案のスマートカードを電気接続する第２導電端子を挿入する端子モジュールが、スマートカードを電気接続する第１導電端子を挿入する絶縁本体に固着することによって、エクスプレスカードとスマートカードのような多種の電子カードは、カード用コネクタに収納される。該カード用コネクタは、高さを低くすることによって占められる空間を減少できる簡単な構造になる。
【考案を実施するための最良の形態】
【０００９】
図１乃至図３に示すように、カード用コネクタは、複数の第１端子槽１４１が形成される絶縁本体１と、第１端子槽１４１に挿入される複数の第１導電端子２と、複数の第２端子槽４２１が形成される端子モジュール４と、第２端子槽４２１に収納される複数の第２導電端子３と、絶縁本体１を覆うハウジング５と、イジェクト機構６と、を備える。
【００１０】
絶縁本体１は、主体部１２と、主体部１２の両側から下向きに延在する一対の側壁１１と、主体部１２の前辺の側部から前方に突出する舌片１４と、主体部１２の前辺の他の側部から前方に突出する導入部１３と、を備える。主体部１２の上表面には、端子モジュール４に対応する凹槽１２１が形成される。各側壁１１の外表面には、二つの係合部１１３が設けられる。舌片１４には、複数の第１端子槽１４１が、縦方向に沿って延在する。該第１端子槽１４１が形成される舌片１４と導入部１３は、互いに隣接する。導入部１３は、矩形の第１階段部１３１と、第１階段部１３１から前方に延在し、且つ第１階段部１３１より低い三角形の第２階段部１３２と、を有する。第１階段部１３１には、該第１階段部１３１と第２階段部１３２を連接する第１導入面１３１０が、設けられる。該第１導入面１３１０は、底辺が、第２階段部１３２に向かって傾斜する。第２階段部１３２の前端には、底辺が前方に向かって傾斜する傾斜面１３２０が設けられる。導入部１３の内側面には、第２導入面１３１１が設置される。
【００１１】
図２及び図３において、第１導電端子２、第２導電端子３は、それぞれ接触部２１、３１と、半田部２２、３２と、接触部２１、３１と半田部２２、３２を連接する連接部２３、３３と、を含む。
【００１２】
端子モジュール４は、基部４１と、基部４１から前方に突出する延在部４２と、を具備する。該延在部４２には、第２導電端子３を収納する複数の第２端子槽４２１が形成される。
【００１３】
ハウジング５は、頂面５１と、底面５２と、頂面５１と底面５２から画成される挿入槽５０と、を有する。挿入槽５０は、導入部１３と導入部１３から離れる側壁１１と頂面５１と底面５２とから画成される第１収納槽１１１と、一対の側壁１１と導入部１３の第１階段部１３１と頂面５１とから形成され、第１収納槽１１１と部分的に重なる第２収納槽１１２と、を具備する。頂面５１には、下向きに延在する複数の弾片５１１が設けられる。底面５２の側辺の後端には、上向きに突出し、係合部１１３に係合する係合孔５２４が形成される一対の延在片５２１と、底面５２の側辺の前端には、水平に外側に延在し、ピン（図示せず）に対応する保持孔５２３が形成される一対の保持部５２２と、を設置する。
【００１４】
該カード用コネクタ取付時、先ず、第１導電端子２は、舌片１４に取り付けられ、接触部２１が第１端子槽１４１に挿入され、半田部２２が絶縁本体１の後端から後向きに延在して回路基板（図示せず）に半田付けされる。第２導電端子３は、端子モジュール４に挿入され、接触部３１が第２端子槽４２１に挿入され、半田部３２が端子モジュール４の基部４１の後端から延在する。第２導電端子３が挿入される端子モジュール４は絶縁本体１に固着され、基部４１が絶縁本体１の凹槽１２１に嵌め込まれる。端子モジュール４と一体になる絶縁本体１は、ハウジング５の挿入槽５０に装入される。次に、ハウジング５は、係合部１１３が係合孔５２４に係合することによって、絶縁本体１に固着される。イジェクト機構６は、絶縁本体１とハウジング５の側部に固着される。
【００１５】
図４及び図５に示すように、使用時、矩形のエクスプレスカード７を、挿入槽５０に挿入する。第２階段部１３２と頂面５１の間の距離が該エクスプレスカード７の厚さより薄いことから、エクスプレスカード７は、傾斜面１３２０と接触したとたんに、第２導入面１３１１に沿って第１収納槽１１１に挿入され、舌片１４に挿入される第１導電端子２の接触部２１と接触して第１導電端子２を電気接続する。
【００１６】
図６において、Ｌ字状のエクスプレスカード８を挿入槽５０に挿入し、第２導入面１３１１に沿って部分的に第１収納槽１１１に挿入し、舌片１４に挿入される第１導電端子２に電気接続し、部分的に第２階段部１３２上に位置づける。
【００１７】
図７乃至図９に示すように、スマートカード９を挿入槽５０に挿入する。スマートカード９は傾斜面１３２０に沿って第２階段部１３２に向かって移動し、第１導入面１３１０と接触し、第１導入面１３１０に沿って第１階段部１３１に向かって移動し、端子モジュール４に挿入される第２導電端子３の接触部３１と接触し、第２導電端子３に電気接続する。挿入されるカード７，８，９は、弾片５１１が接触することによって固着される。使用後、カード７，８，９は、イジェクト機構６によって排出される。
【００１８】
該カード用コネクタの絶縁本体１には、エクスプレスカード７、８を電気接続する第１導電端子２を挿入する舌片１４が設けられると共に、スマートカード９を電気接続する第２導電端子３を挿入する端子モジュール４が凹槽１２１に嵌め込まれる。エクスプレスカード７，８とスマートカード９のような異なる電子カードは、絶縁本体１とハウジング５から形成される挿入槽５０に挿入され、第１、第２導入面１３１０、１３１１によって、第１、第２収納槽１１１、１１２に収納される。これにより、エクスプレスカード７、８とスマートカード９のような多種の電子カードを挿入しても、同じ挿入槽５０から対応する収納槽１１１、１１２に挿入でき、異なる収納槽から対応する収納槽に挿入する必要がない。該カード用コネクタは、高さを低くすることによって占められる空間を減少できる簡単な構造になる。エクスプレスカード７，８とスマートカード９は、第１、第２導入面１３１０、１３１１によって、対応する収納槽１１１、１１２に導入され、対応しない収納槽に挿入されることを回避できる。
【００１９】
本考案の多数の特徴及び長所など、その構造及び機能を前述の記載により共に説明してきた。また、前述の記載や、本考案に基づきなし得る細部の修正或は変更など、いずれも本考案の請求範囲に属するものである。
【産業上の利用可能性】
【００２０】
本考案はカード用コネクタに関し、特に、多種の電子カードを収納でき、占められる空間を減少できるカード用コネクタに関する。
【図面の簡単な説明】
【００２１】
【図１】本考案のカード用コネクタの組立斜視図である。
【図２】本考案のハウジングが取り付けられないカード用コネクタの組立斜視図である。
【図３】本考案のハウジングが取り付けられないカード用コネクタの他の組立斜視図である。
【図４】本考案の矩形のエクスプレスカードが挿入されたカード用コネクタの一部分の組立斜視図である。
【図５】本考案の矩形のエクスプレスカードが挿入されたカード用コネクタの一部分の組立斜視図である。
【図６】本考案のＬ字形状のエクスプレスカードが挿入されたカード用コネクタの一部分の組立斜視図である。
【図７】本考案のスマートカードが傾斜面を接触する時のカード用コネクタの一部分の組立斜視図である。
【図８】本考案のスマートカードが第１導入面を接触する時のカード用コネクタの一部分の組立斜視図である。
【図９】本考案のスマートカードが挿入されたカード用コネクタの一部分の組立斜視図である。
【符号の説明】
【００２２】
１  絶縁本体
２  第１導電端子
３  第２導電端子
４  端子モジュール
５  ハウジング
６  イジェクト機構
７、８  エクスプレスカード
９  スマートカード
１１  側壁
１２  主体部
１３  導入部
１４  舌片
２１、３１  接触部
２２、３２  半田部
２３、３３  連接部
４１  基部
４２  延在部
５０  挿入槽
５１  頂面
５２  底面
１１１  第１収納槽
１１２  第２収納槽
１１３  係合部
１２１  凹槽
１３１  第１階段部
１３２  第２階段部
１４１  第１端子槽
４２１  第２端子槽
５１１  弾片
５２１  延在片
５２２  保持部
５２３  保持孔
５２４  係合孔
１３１０  第１導入面
１３１１  第２導入面
１３２０  傾斜面
【図１】
0003120995.tif 000003
【図２】
0003120995.tif 000004
【図３】
0003120995.tif 000005
【図４】
0003120995.tif 000006
【図５】
0003120995.tif 000007
【図６】
0003120995.tif 000008
【図７】
0003120995.tif 000009
【図８】
0003120995.tif 000010
【図９】
0003120995.tif 000011